【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
貫通穴が形成されたケースと、
前記ケース内に収容されたボタン電池と、
前記貫通穴に挿入され、一方の端部が前記ボタン電池の一方の極が設けられた面に接するピンと、
前記ボタン電池を前記ピンに向けて付勢する付勢部材と、
前記ケース内で、前記一方の極から、前記付勢部材が前記ボタン電池を付勢する方向に離間して設けられた配線と、
を有することを特徴とする電子機器。
【請求項２】
前記配線は、前記貫通穴から前記ピンが引き抜かれ、前記付勢部材により前記ボタン電池が前記貫通穴に向かって移動した際に、前記一方の極が前記配線に電気的に接続される位置に設けられていることを特徴とする請求項１に記載の電子機器。
【請求項３】
前記配線は前記ボタン電池の下に電極パッドを備え、
前記貫通穴は、前記ケースと前記電極パッドとを貫通していることを特徴とする請求項１又は２に記載の電子機器。
【請求項４】
前記ケースの外面に接着された粘着シートを有し、
前記ピンは、接着剤又はかしめ結合によって前記粘着シートに固定されていることを特徴とする請求項１乃至３のいずれか一項に記載の電子機器。
【請求項５】
前記ピンは、プラスチックから形成されることを特徴とする請求項１乃至４のいずれか一項に記載の電子機器。
【請求項６】
前記一方の極は負極であり、
前記付勢部材は、前記ボタン電池の正極に接続された正極リード端子を有することを特徴とする請求項１乃至５のいずれか一項に記載の電子機器。
【手続補正２】
【補正対象書類名】明細書
【補正対象項目名】０００７
【補正方法】変更
【補正の内容】
【０００７】
以下の開示の一観点によれば、貫通穴が形成されたケースと、前記ケース内に収容されたボタン電池と、前記貫通穴に挿入され、一方の端部が前記ボタン電池の一方の極が設けられた面に接するピンと、前記ボタン電池を前記ピンに向けて付勢する付勢部材と、前記ケース内で、前記一方の極から、前記付勢部材が前記ボタン電池を付勢する方向に離間して設けられた配線と、を有する電子機器が提供される。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
電子機器を使用する際には、ピンを貫通穴から引き抜くことにより、ボタン電池の一方の極と配線とを接触させて導通させる。これにより、ボタン電池から電源が供給される。
【手続補正８】
【補正対象書類名】明細書
【補正対象項目名】００１３
【補正方法】変更
【補正の内容】
【００１３】
確実に電子機器の電源をオンにできるため、不良品が発生することなく、製品の信頼性を向上させることができる。
【手続補正９】
【補正対象書類名】明細書
【補正対象項目名】００１７
【補正方法】変更
【補正の内容】
【００１７】
本実施形態では、便宜上、ケース１０の上部ケース１４側を上側又は一方の側とし、下部ケース１２側を下側又は他方の側とする。また、各部位の上部ケース１４側の面を上面又は一方の面とし、下部ケース１２側の面を下面又は他方の面とする。
【手続補正１０】
【補正対象書類名】明細書
【補正対象項目名】００２７
【補正方法】変更
【補正の内容】
【００２７】
なお、基板５を省略し、下部ケース１２の上面に電子回路モジュール２０、第１配線層３０及び第２配線層３２を形成してもよい。この場合は、下部ケース１２の底板１２ａ及び第２配線層３２の電極パッド３２ｂに貫通穴ＴＨが形成される。
【手続補正１１】
【補正対象書類名】明細書
【補正対象項目名】００４３
【補正方法】変更
【補正の内容】
【００４３】
電極パッド３２ｂは、ボタン電池５０が位置ずれして搭載されても、ボタン電池５０の負極リード端子５４が電極パッド３２ｂに確実に接触するように配置されていればよく、各種の形状を採用することができる。
【手続補正１２】
【補正対象書類名】明細書
【補正対象項目名】００４７
【補正方法】変更
【補正の内容】
【００４７】
この場合は、円形状の電極パッド３２ｂの周囲のケース１０の底板１２ａ及び基板５に複数の貫通穴ＴＨを配置し、それらにピン４０を挿入すればよい。図５の例では、円形状の電極パッド３２ｂの周囲に配置された３つの貫通穴ＴＨにピン４０がそれぞれ挿入されている。
【手続補正１３】
【補正対象書類名】明細書
【補正対象項目名】００４８
【補正方法】変更
【補正の内容】
【００４８】
以上のように、ボタン電池５０の負極リード端子５４と第２配線層３２とは、ピン４０を引き抜いてボタン電池５０が下側に移動する際に、負極リード端子５４が第２配線層３２に接触してボタン電池５０から電源が供給される位置に設置される。
【手続補正１４】
【補正対象書類名】明細書
【補正対象項目名】００４９
【補正方法】変更
【補正の内容】
【００４９】
上記した図４及び図５の電子機器では、第２配線層３２には貫通穴ＴＨは形成されず、下部ケース１２の底板１２ａと基板５に貫通穴ＴＨが形成される。あるいは、基板５を省略する場合は、下部ケース１２の底板１２ａのみに貫通穴ＴＨが形成される。
【手続補正１５】
【補正対象書類名】明細書
【補正対象項目名】００５５
【補正方法】変更
【補正の内容】
【００５５】
ピン４０は接着剤４４で粘着シート４２に強固に固定されているため、粘着シート４２からピン４０が外れるおそれもない。また、粘着シート４２を引き剥がすだけなので、粘着シート４２に強い引っ張り力がかかることもないため、粘着シート４２が破れるおそれもない。
【手続補正１６】
【補正対象書類名】明細書
【補正対象項目名】００７０
【補正方法】変更
【補正の内容】
【００７０】
図１０の第３変形例のピン４０を使用する場合の製造方法について説明する。図１１（ａ）に示すように、まず、側面に突起部４０ｂが形成されたストレート形状の柱状部品４０ｘを用意する。次いで、図１１（ｂ）に示すように、下部ケース１２及び基板５に形成された貫通穴ＴＨに上側から図１１（ａ）の柱状部品４０ｘを挿入する。これにより、柱状部品４０ｘの突起部４０ｂの下面が基板５の上面に当接して引っ掛かる。
【手続補正１７】
【補正対象書類名】明細書
【補正対象項目名】００７１
【補正方法】変更
【補正の内容】
【００７１】
あるいは、図１１（ｃ）に示すように、貫通穴ＴＨに下側から図１１（ａ）の柱状部品４０ｘを挿入してもよい。このように挿入しても、柱状部品４０ｘの突起部４０ｂの下面を基板５の上面に引っ掛かけることができる。
【手続補正１８】
【補正対象書類名】明細書
【補正対象項目名】００７３
【補正方法】変更
【補正の内容】
【００７３】
これにより、図１０に示した柱状部４０ａ及びかしめ部４１から形成されるピン４０が貫通穴ＴＨに配置され、ピン４０の突起部４０ｂが基板５の上面に当接した状態となる。ピン４０はかしめ部４１によって下部ケース１２に固定される。
【手続補正１９】
【補正対象書類名】明細書
【補正対象項目名】００７４
【補正方法】変更
【補正の内容】
【００７４】
図１２（ｂ）に示すように、電源をオンにする場合は、ピン４０を強い力で引っ張ることにより、ピン４０の突起部４０ｂが欠けてピン４０を貫通穴ＴＨから引き抜くことができる。
【手続補正２０】
【補正対象書類名】明細書
【補正対象項目名】００７８
【補正方法】変更
【補正の内容】
【００７８】
貫通穴ＴＨは、下部ケース１２の底板１２ａの上に、基板５が実装された状態で一括で形成してもよい。あるいは、基板５と下部ケース１２の底板１２ａのそれぞれに貫通穴ＴＨを形成した後に、それぞれの貫通穴ＴＨを合わせるように、下部ケース１２の底板１２ａの上に基板５を実装して形成してもよい。
【手続補正２１】
【補正対象書類名】明細書
【補正対象項目名】００９９
【補正方法】変更
【補正の内容】
【００９９】
また同様に、ピン４０の上にボタン電池５０が搭載されている。ボタン電池５０の正極リード端子５２が第１配線層３０の接続部にはんだＳで接続されている。ボタン電池５０は正極リード端子５２のばね力によってピン４０を下側に押圧するように付勢されている。
【手続補正２２】
【補正対象書類名】明細書
【補正対象項目名】０１０１
【補正方法】変更
【補正の内容】
【０１０１】
図１９及び図２０の電子機器１ａにおいて、基板５の下面に第２の電子回路モジュール２２が搭載されていること以外の要素は、前述した図１の電子機器１と同じである。
【手続補正２３】
【補正対象書類名】明細書
【補正対象項目名】０１０２
【補正方法】変更
【補正の内容】
【０１０２】
図１９及び図２０の電子機器１ａを使用する際には、図２１に示すように、前述した図６及び図７と同様に、粘着シート４２を引き剥がして貫通穴ＴＨからピン４０を引き抜く。
【手続補正２４】
【補正対象書類名】明細書
【補正対象項目名】０１０３
【補正方法】変更
【補正の内容】
【０１０３】
これにより、下側に向けて付勢されたボタン電池５０が下側に移動して、ボタン電池５０の負極リード端子５４と第２配線層３２の電極パッド３２ｂとが接触して導通する。その結果、ボタン電池５０から第１の電子回路モジュール２１及び第２の電子回路モジュール２２に電源が供給され、電子機器１ａが動作する。